(57)【要約】      （修正有）【課題】キャップに設けられたミラーの角度を自由に調節でき、使い勝手がよいミラー付き飲料容器を提供する。【解決手段】容器本体１に設けられた飲み口を塞ぐキャップ４が容器本体に着脱可能に設けられ、キャップに、キャップの上部を覆うカバー１０が開閉可能に設けられ、カバーの下面に凹部が形成され、ミラー５の外周縁に弾性を有する保持リング１２が装着され、ミラーが凹部に着脱可能に嵌め込まれる。カバーは任意の角度で開いた状態に維持され、飲料容器を立てて置いた状態でミラーを開いて使用することができる。【選択図】図１
0003219520.tif 000002
【実用新案登録請求の範囲】
【請求項１】
容器本体に設けられた飲み口を塞ぐキャップが容器本体に着脱可能に設けられ、キャップの上部に、ミラーが開閉可能に設けられたことを特徴とするミラー付き飲料容器。
【請求項２】
容器本体に設けられた飲み口を塞ぐキャップが容器本体に着脱可能に設けられ、ミラーがキャップに形成された凹部に着脱可能に嵌め込まれたことを特徴とするミラー付き飲料容器。
【請求項３】
容器本体に設けられた飲み口を塞ぐキャップが容器本体に着脱可能に設けられ、キャップの上部を覆うカバーがキャップに開閉可能に設けられ、カバーにミラーが着脱可能に嵌め込まれ、ミラーの外周縁に弾性を有する保持リングが装着されたことを特徴とするミラー付き飲料容器。
【請求項４】
キャップの上部を覆うカバーがヒンジを介してキャップに開閉可能に設けられ、カバーにミラーが設けられ、カバーはヒンジ軸周りに回動し、ヒンジ軸に弾性を有する回動規制リングが嵌められ、回動規制リングはカバーとキャップとの間に介在し、カバーが任意の角度で開いた状態に維持されることを特徴とする請求項１〜３のいずれかに記載のミラー付き飲料容器。
【考案の詳細な説明】
【技術分野】
【０００１】
本考案は、容器本体の飲み口を塞ぐキャップにミラーが設けられた飲料容器に関する。
【背景技術】
【０００２】
飲料容器のキャップは、容器本体に設けられた飲み口を塞ぐように容器本体に着脱可能に設けられる。このようなキャップを利用したミラーが特許文献１に記載されている。キャップの上面の窪み部分に鏡面仕上げシートが設けられ、このシートがミラーとして使用される。
【先行技術文献】
【特許文献】
【０００３】
【特許文献１】実用新案登録第３１０８６１４号公報
【考案の開示】
【考案が解決しようとする課題】
【０００４】
キャップのミラーを使用するには、容器本体から外したキャップを手に持って、ミラーを顔に向ける。あるいは、キャップが被せられた容器本体を傾けて、ミラーが顔に向くようにする。このように、キャップのミラーを使用するとき、片手が塞がってしまい、使い勝手が悪い。
【０００５】
そこで、本考案は、上記に鑑み、キャップに設けられたミラーの使い勝手をよくした飲料容器の提供を目的とする。
【課題を解決するための手段】
【０００６】
本考案のミラー付き飲料容器は、容器本体に設けられた飲み口を塞ぐキャップが容器本体に着脱可能に設けられ、キャップの上部に、ミラーが開閉可能に設けられる。あるいは、ミラーがキャップに形成された凹部に着脱可能に嵌め込まれる。あるいは、キャップの上部を覆うカバーがキャップに開閉可能に設けられ、カバーにミラーが着脱可能に嵌め込まれ、ミラーの外周縁に弾性を有する保持リングが装着される。
【０００７】
ミラーがキャップに対して開閉可能に設けられることにより、飲料容器を立てて置いた状態でミラーを開いて使用することができ、ミラーが見やすくなる。また、ミラーをキャップに着脱可能に設けることにより、ミラーをキャップから取り外すことができ、ミラーを洗浄できる。
【０００８】
そして、キャップの上部を覆うカバーがヒンジを介してキャップに開閉可能に設けられ、カバーにミラーが設けられ、カバーはヒンジ軸周りに回動し、ヒンジ軸に弾性を有する回動規制リングが嵌められ、回動規制リングはカバーとキャップとの間に介在し、カバーが任意の角度で開いた状態に維持される。これにより、ミラーを開いたとき、角度を自由に調節でき、使い勝手がよくなる。
【考案の効果】
【０００９】
本考案によると、ミラーを自由に傾けて使用することができ、ミラーの使い勝手がよくなり、飲料容器の付加価値を高めることができる。
【図面の簡単な説明】
【００１０】
【図１】本考案のミラーを開いた状態の飲料容器の斜視図
【図２】ミラーを開いた状態の飲料容器の断面図
【図３】ミラーが設けられたカバーの分解斜視図
【図４】ミラーが設けられたカバーの分解側面図
【図５】斜め上から見たカバーのヒンジの分解斜視図
【図６】カバーのヒンジの分解背面図
【図７】斜め下から見たカバーのヒンジの分解斜視図
【考案を実施するための最良の形態】
【００１１】
本実施形態のミラー付き飲料容器を図１、２に示す。飲料容器は、上部が開口した容器本体１と、容器本体１の開口に着脱可能に装着された栓本体２と、栓本体２に形成された飲み口３を塞ぐキャップ４とからなり、キャップ４は、容器本体１に着脱可能に設けられる。そして、キャップ４に、ミラー５が開閉可能かつ着脱可能に設けられる。
【００１２】
栓本体２は、容器本体１の開口内にねじ込まれて容器本体１に装着され、開口の上縁を覆う。栓本体２の中央に、飲み口３を有する栓部６が設けられ、栓部６が容器本体１内に入って、開口を塞ぐ。栓部６に貫通孔が形成され、この貫通孔が飲み口３とされる。
【００１３】
キャップ４は、容器本体１の上部外周にねじ込まれて容器本体１に装着され、栓本体２を覆う。キャップ４の内側には、飲み口３を密閉するためのパッキン部材７が取り付けられている。キャップ４が容器本体１に装着されると、パッキン部材７が栓部６に密着して、飲み口３が密閉される。
【００１４】
ミラー５は、キャップ４の上部に設けられる。キャップ４の上部に、カバー１０がヒンジ１１を介して開閉可能に設けられ、ミラー５がカバー１０の下面側に着脱可能に取り付けられる。そして、カバー１０は任意の角度に開いた状態に維持される。
【００１５】
図３，４に示すように、ポリカーボネート製のミラー５は円形に形成され、ミラー５の外周縁に保持リング１２が装着されている。保持リング１２は、シリコンゴム製の弾性を有する環状のリングであり、ミラー５の外周縁を覆う。カバー１０の内面側に円形の凹部１３が形成され、保持リング１２が装着されたミラー５が凹部１３に嵌め込まれる。これにより、ミラー５はカバー１０に着脱可能に保持される。
【００１６】
図５〜７に示すように、ヒンジ１１は、ヒンジ軸１５と、ヒンジ軸１５を支持する軸筒１６と、ヒンジ軸１５に回動可能に支持される一対のボス１７によって構成される。キャップ４に、軸筒１６が形成され、カバー１０に、一対のボス１７が形成され、一対のボス１７の間に軸筒１６が配置される。ヒンジ軸１５は、ボス１７に形成された軸孔１８から軸筒１６に挿通される。カバー１０はヒンジ軸１５周りに回動して、開閉される。
【００１７】
そして、ヒンジ軸１５に、弾性を有する回動規制リング１９が嵌められている。シリコンゴム製の回動規制リング１９は軸筒１６と一方のボス１７との間に配置され、カバー１０とキャップ４に挟みつけられる。回動規制リング１９がカバー１０とキャップ４との間に介在することにより、カバー１０の開閉時に摩擦力が発生し、カバー１０は任意の角度で開いた状態に維持される。
【００１８】
カバー１０を閉じておくために、カバー１０にフック２１が支軸２２周りに回動可能に設けられ、キャップ４に、フック２１を係止する固定爪２３が形成される。フック２１は、ばねにより固定爪２３に向かう方向に付勢され、フック２１が固定爪２３に引っ掛かることにより、カバー１０は閉じた状態でロックされる。フック２１が押されて回動すると、フック２１が固定爪２３から離れ、カバー１０のロックが解除される。
【００１９】
ミラー５を使用する場合、フック２１を押してロックを解除すると、カバー１０を開くことができる。カバー１０を任意の角度まで開くと、カバー１０はその位置に維持される。カバー１０の内面側に取り付けられたミラー５が現れ、ミラーを使用できる。キャップ４が容器本体１に装着されていると、ミラー５は高い位置にあり、ミラー５が見やすく、両手が使える。また、カバー１０の角度を変えることにより、ミラー５の傾きを自由に調節できる。
【００２０】
キャップ４を容器本体１から外すと、キャップ４を好きな場所に置いてミラー５を使うことができる。ミラー５を落としても、ポリカーボネート製であるので、ミラー５は割れない。また、ミラー５をカバー１０から外すと、ミラー５を洗浄することができる。
【００２１】
なお、本考案は、上記実施形態に限定されるものではなく、本考案の範囲内で上記実施形態に多くの修正および変更を加え得ることは勿論である。ミラー５をカバー１０の上面側に取り付けてもよい。ミラー５自体をキャップ４の上部に開閉可能に取り付けてもよい。また、キャップ４が容器本体１に対して開閉可能な場合、キャップ４の上面に凹部を形成し、凹部にミラー５を嵌め込んでもよい。
【符号の説明】
【００２２】
１    容器本体
２    栓本体
３    飲み口
４    キャップ
５    ミラー
１０    カバー
１１    ヒンジ
１２    保持リング
１３    凹部
１５    ヒンジ軸
１９    回動規制リング
【図１】
0003219520.tif 000003
【図２】
0003219520.tif 000004
【図３】
0003219520.tif 000005
【図４】
0003219520.tif 000006
【図５】
0003219520.tif 000007
【図６】
0003219520.tif 000008
【図７】
0003219520.tif 000009